(57)【要約】【課題】撮影者が被写体から視線を逸らすことなく撮影する場合においても撮影しているのか否かを外部から判別できるようにして、盗撮等を効果的に防止する。【解決手段】被写体Ａの像を結像させる撮影光学系３と、該撮影光学系３により結像された被写体Ａの像を電気的な画像データＧに変換する撮像部４と、該撮像部４により変換された画像データＧを保持させるレリーズボタン９と、被写体Ａに対する画枠の位置を提示する被写体位置提示部７と、該被写体位置提示部７を機能させずに撮影を行う撮影モードを検出する撮影モード検出部１０と、該撮影モード検出部１０により被写体位置提示部７を機能させずに撮影を行う撮影モードが検出された状態で、レリーズボタン９が押されたことを報知する報知部とを備えるカメラ１を提供する。【選択図】      図１
2008083076.tif 000002
【特許請求の範囲】
【請求項１】
被写体の像を結像させる撮影光学系と、
該撮影光学系により結像された被写体の像を電気的な画像データに変換する撮像部と、
該撮像部により変換された画像データを保持させるレリーズボタンと、
前記撮像部により取得される画像内における被写体位置を提示する被写体位置提示部と、
該被写体位置提示部を機能させずに撮影を行う撮影モードを検出する撮影モード検出部と、
該撮影モード検出部により被写体位置提示部を機能させずに撮影を行う撮影モードが検出された状態で、レリーズボタンが押されたことを報知する報知部とを備えるカメラ。
【請求項２】
前記被写体位置提示部を機能させる第１の撮影モードと、前記被写体位置提示部を機能させない第２の撮影モードとを切り替えるモード切替部を備え、
該撮影モード検出部により第１の撮影モードであることが検出されたとき、前記モード切替部が前記被写体位置提示部を機能させる一方、第２の撮影モードであることが検出されたとき、前記モード切替部が前記被写体位置提示部の機能を停止させる請求項１に記載のカメラ。
【請求項３】
前記報知部が、音を発生する請求項１または請求項２に記載のカメラ。
【請求項４】
前記報知部が、光を発生する請求項１または請求項２に記載のカメラ。
【発明の詳細な説明】
【技術分野】
【０００１】
本発明は、カメラに関するものである。
【背景技術】
【０００２】
従来、カメラ撮影は、撮影者がカメラ本体に備えられたファインダあるいは液晶ディスプレイを介して被写体および画枠を確認しながらレリーズボタンを押すことにより行われる。この場合、手ぶれ防止等の目的から両手でカメラ本体をホールドしている場合のみに撮影を許容するための工夫が考案されている（例えば、特許文献１参照。）。
【特許文献１】特開２００３−３１９２２１号公報
【発明の開示】
【発明が解決しようとする課題】
【０００３】
ところが、撮影者がファインダを覗きながら撮影する場合には、撮影者の顔と被写体との間にカメラが介在してしまい、例えば、被写体が人物や動物である場合には、撮影者の表情および視線がカメラにより遮られるため、被写体に撮影していることを意識させてしまい、被写体の自然な表情や動作を撮影することができないという不都合がある。
【０００４】
また、カメラ本体に備えられた液晶ディスプレイに表示されている被写体を見ながら撮影を行う場合においても、撮影者の視線が被写体から逸れる結果、同様に、被写体の自然な表情や動作を撮影することができないという不都合がある。
したがって、被写体のより自然な表情や動作を撮影するためには、被写体側から撮影者の視線や表情が見える状態で撮影することが好ましい。
【０００５】
また、被写体が人物や動物である場合に限られず、建造物や風景の場合であっても、撮影者がファインダや液晶ディスプレイを見ながら撮影したのでは得ることのできない斬新なアングルからの画像を取得できるようにすることも望まれている。
【０００６】
その反面、撮影者が被写体の顔から視線を逸らすことなく撮影する場合、撮影しているのか否かを外部から判別できなくなる。このため、盗撮等の反社会的行為に悪用される可能性が高くなるという不都合がある。
【０００７】
本発明は上述した事情に鑑みてなされたものであって、撮影者が被写体から視線を逸らすことなく撮影する場合においても撮影しているのか否かを外部から判別できるようにして、盗撮等を効果的に防止することができるカメラを提供することを目的としている。
【課題を解決するための手段】
【０００８】
上記目的を達成するために、本発明は以下の手段を提供する。
本発明は、被写体の像を結像させる撮影光学系と、該撮影光学系により結像された被写体の像を電気的な画像データに変換する撮像部と、該撮像部により変換された画像データを保持させるレリーズボタンと、前記撮像部により取得される画像内における被写体位置を提示する被写体位置提示部と、該被写体位置提示部を機能させずに撮影を行う撮影モードを検出する撮影モード検出部と、該撮影モード検出部により被写体位置提示部を機能させずに撮影を行う撮影モードが検出された状態で、レリーズボタンが押されたことを報知する報知部とを備えるカメラを提供する。
【０００９】
本発明によれば、撮影光学系により結像された被写体の像が撮像部の作動により電気的な画像データに変換される。被写体位置提示部、例えば、ファインダや液晶ディスプレイ等の作動により、撮像部により取得される画像内の被写体位置が撮影者に提示され、撮影者はそれを確認しながらレリーズボタンを押すことができる。この場合には、撮影者の意図した構図やアングルの画像をより確実に取得することができる。
【００１０】
一方、被写体位置提示部を機能させない撮影モードにおいて、撮影者は、画像内における被写体位置を確認せずに直感に従って撮影光学系の光軸を被写体に合わせて撮影を行う。したがって、撮影者がファインダや液晶ディスプレイ等の被写体位置提示部を見ずに、被写体から視線を逸らすことなく被写体側から表情が見える状態で撮影が行われ、被写体の自然な表情や動作あるいは斬新なアングルからの被写体の画像を取得することができる。
【００１１】
この場合において、撮影者が被写体位置提示部を見る撮影モードでは、撮影者が撮影していることを外部から容易に判別することができるが、撮影者が被写体位置提示部を見ない撮影モードでは、撮影していることの外部からの判別は容易ではない。そこで、撮影モード検出部の作動により撮影者が被写体位置提示部を見ない撮影モードであることが検出された状態で、レリーズボタンが押された場合には、報知部が作動させられ、レリーズボタンが押された旨が外部に報知される。これにより、外部から気づかれずに撮影をする、例えば、盗撮を効果的に防止することができる。
【００１２】
上記発明においては、前記被写体位置提示部を機能させる第１の撮影モードと、前記被写体位置提示部を機能させない第２の撮影モードとを切り替えるモード切替部を備え、該撮影モード検出部により第１の撮影モードであることが検出されたとき、前記モード切替部が前記被写体位置提示部を機能させる一方、第２の撮影モードであることが検出されたとき、前記モード切替部が前記被写体位置提示部の機能を停止させることとしてもよい。
【００１３】
このようにすることで、撮影モード検出部の作動により撮影モードが自動検出され、モード切替部の作動により撮影モードが自動的に切り替えられる。第１の撮影モードに切り替えられた場合には、被写体位置提示部が作動され、撮影者は被写体位置提示部を見ながら撮影を行うことができる。一方、第２の撮影モードに切り替えられた場合には、被写体位置提示部の機能が停止されるので、使用していない被写体位置提示部が作動させられたまま第２の撮影モードによる撮影が行われることの無駄を省き、バッテリの消耗を抑えることができる。
【００１４】
また、上記発明においては、前記報知部が、音を発生することとしてもよく、光を発生することとしてもよい。
レリーズボタンが押されることにより報知部が作動して音または光を発生することにより、撮影が行われたことが周囲に報知されるので、盗撮を効果的に防止することができる。
【発明の効果】
【００１５】
本発明によれば、撮影者が被写体から視線を逸らすことなく撮影する場合においても撮影しているのか否かを外部から判別できるようにして、盗撮等を効果的に防止することができるという効果を奏する。
【発明を実施するための最良の形態】
【００１６】
本発明の第１の実施形態に係るカメラについて、図１〜図５を参照して以下に説明する。
本実施形態に係るカメラ１は、図１に示されるように、カメラ本体２と、該カメラ本体２に固定され被写体Ａの像を結像させるレンズユニット（撮影光学系）３と、該レンズユニット３により結像された被写体の像を電気的な画像データＧに変換するＣＣＤ（撮像部）４と、ＣＣＤ４により取得された画像データＧを処理して被写体Ａを検出する画像処理部５と、該画像処理部５により検出された被写体Ａを画枠Ｆ内の所定位置に配置する画枠調整部６とを備えている。
【００１７】
カメラ本体２には、図１および図２に示されるように、ＣＣＤ４により取得された画像データＧを表示する液晶ディスプレイ（被写体位置提示部）７と、被写体Ａに対する画枠Ｆを撮影者に提示するファインダ（被写体位置提示部）８と、ＣＣＤ４により取得されている画像データＧを静止画像として保持するためのレリーズ指令Ｓを出力するレリーズボタン９と、撮影状態を検出する撮影状態検出部（撮影モード検出部）１０と、報知音を発生するスピーカ１１（報知部）と、前記撮影状態検出部からの出力に応じて撮影モードを切り替える制御部（撮影モード切替部）１２とが備えられている。
【００１８】
前記撮影状態検出部１０は、例えば、図２に示されるように、カメラ本体２の側面の一端に設けられたレリーズボタン９および該側面の他端近傍にそれぞれ配置された電極１３，１４と、該電極１３，１４間の抵抗値を検出する抵抗値検出器１５とにより構成されている。
前記制御部１２は、抵抗値検出器１５から出力される電極１３，１４間の抵抗値信号Ｒに基づいて、撮影状態を判定して撮影モードを切り替えるようになっている。
【００１９】
ここで、カメラ１の撮影モードについて説明する。
カメラ１の撮影モードとしては、図２に示されるような第１の撮影モードと、図３に示されるような第２の撮影モードとがある。
【００２０】
第１の撮影モードは、撮影者が、カメラ本体２の背面に設けられた液晶ディスプレイ７やファインダ８を見ながら撮影する撮影状態である。このとき、撮影者は、図２に示されるように、両手でカメラ本体２を保持し、右手の人差し指でレリーズボタン９を押すようになる。したがって、レリーズボタン９は、右手の人差し指で押しやすいようにカメラ本体２の右肩に配置されている。
【００２１】
撮影者の右手の親指は、カメラ本体２の下面を支持し、右手の他の指は、カメラ本体２の前面（レンズユニット３側の面）に軽く添えられる。同様に、撮影者の左手は、人差し指と親指とでカメラ本体２を上下に挟み、他の指をカメラ本体２の前面に軽く添える。この姿勢が、第１の撮影モードにおける正しい撮影姿勢であり、レリーズボタン９を押下する際におけるカメラ本体２の上下動を低減して、ブレの少ない画像を取得することができるようになっている。
【００２２】
このとき、レリーズボタン９に設けられた電極１３には、右手の人差し指が接触し、他の電極１４には左手の人差し指が接触する。したがって、電極１３，１４間には、右手−右腕−上半身−左腕−左手を通過する比較的長い回路が形成され、抵抗値検出器１５によりその回路全体に渡る抵抗値が検出される。すなわち、第１の撮影モードにおいて、抵抗値検出器１５により検出される抵抗値は、所定の値より大きな抵抗値となる。
【００２３】
なお、第１の撮影モードの変形として、右手のみでカメラ本体２を把持して行う撮影状態も考えられる。この場合、カメラ本体２を把持している右手の人差し指でレリーズボタン９を押すので、カメラ本体２が上下動する可能性が高くなるので、手ぶれ補正等の補正機能が必要となる。
そして、このとき、電極１４には左手の人差し指が接触しておらず、解放されているので、電極１３，１４間の抵抗値は無限大となる。したがって、この場合も、抵抗値検出器１５により検出される抵抗値は、所定の値より大きな抵抗値となる。
【００２４】
一方、第２の撮影モードは、撮影者が、液晶ディスプレイ７やファインダ８を見ることなく撮影する撮影状態である。このとき、撮影者は、図３に示されるように、右手のみでカメラ本体２を保持する。この場合に、レリーズボタン９は、ちょうど右手の親指が配置される位置にあり、撮影者は右手の親指でレリーズボタン９を押すようになる。この第２の撮影モードでは、撮影者の右手の掌が、カメラ本体２の背面に設けられた液晶ディスプレイ７やファインダ８を覆うように配置されるので、液晶ディスプレイ７やファインダ８は実質的に機能しなくなる。
【００２５】
このとき、レリーズボタン９に設けられた電極１３には、右手の親指が接触し、他の電極１４には同じ右手の親指の付け根の掌部分が接触する。すなわち、第２の撮影モードにおいて、電極１３，１４間には、右手の親指−右手の掌を通る比較的短い回路が形成され、抵抗値検出器１５により検出される抵抗値は、所定の値より小さな抵抗値となる。
【００２６】
したがって、制御部１２は、抵抗値検出器１５から出力される抵抗値信号Ｒを所定のしきい値と比較し、大きい場合には第１の撮影モードであり、小さい場合には第２の撮影モードであると判断して、撮影モードを切り替えるようになっている。
制御部１２の作動により、第１の撮影モードに切り替えられたときには、液晶ディスプレイ７が起動され、撮影者に対して被写体Ａと画枠Ｆとが提示されるようになっている。
【００２７】
一方、制御部１２の作動により第２の撮影モードに切り替えられたときには、液晶ディスプレイ７の作動が停止されるようになっている。また、第２の撮影モードに切り替えられたときには、画枠調整部６が作動可能に設定されるようになっている。さらに、制御部１２は、第２の撮影モードに切り替えた状態で、レリーズボタン９が押されたときには、スピーカ１１から擬似撮影音を出力させるために、スピーカ１１に対し擬似撮影音信号Ｖを出力するようになっている。
【００２８】
レンズユニット３は、レンズ鏡筒３ａ内に配置された複数枚のレンズ３ｂを備え、これらのレンズ３ｂを介して被写体Ａの像をＣＣＤ４の撮像面に結像させるようになっている。レンズユニット３により結像可能な撮影範囲Ｐは、レンズ鏡筒３ａの開口部や、レンズユニット３内に配置された絞り部材３ｃの開口部等により、図２に破線で示す範囲に制限されている。
【００２９】
前記ＣＣＤ４は、正方配列された複数の画素（図示略）を備え、各画素に結像された被写体Ａの像を、画素毎に電気的な画像信号に変換するようになっている。本実施形態においては、ＣＣＤ４の撮像面は、図１に鎖線で示すように、前記レンズユニット３により結像可能な撮影範囲Ｐよりも狭い撮影範囲Ｑを備えている。
【００３０】
前記画像処理部５は、第１の撮影モードでの撮影時には、ＣＣＤ４により取得された画像データＧをそのまま、あるいは、所定の画像補正処理を施して液晶ディスプレイ７に出力するようになっている。
また、画像処理部５は、第２の撮影モードでの撮影時には、ＣＣＤ４から出力された画像データＧを処理することにより、画像データＧ内において被写体Ａを検出するようになっている。
【００３１】
画像処理部５は、例えば、被写体Ａが人間や動物の場合には、目や顔を認識する顔認識処理を行うことにより、画像データＧ内の被写体Ａを検出することができる。画像処理部５は、被写体Ａを検出した後に、検出された被写体Ａの位置データＨを、例えば、検出した被写体Ａの画像の重心位置を算出することにより求めて前記画枠調整部６に出力するようになっている。
【００３２】
前記画枠調整部６は、図１に示されるように、前記画像処理部５から送られてくる被写体Ａの位置データＨに応じて駆動されるモータ６ａと、該モータ６ａにより回転駆動される送りネジ６ｂと、該送りネジ６ｂによりその長手方向に直線移動させられるスライダ６ｃとを備えている。スライダ６ｃには前記ＣＣＤ４が取り付けられている。
【００３３】
本実施形態においては、送りネジ６ｂは、カメラ１の幅方向に沿って配置されている。したがって、モータ６ａの駆動により送りネジ６ｂが回転させられると、送りネジ６ｂの回転量に応じた距離だけスライダ６ｃがカメラ本体２の幅方向に直線移動させられる結果、ＣＣＤ４がカメラ本体２の幅方向に並進移動させられるようになっている。
【００３４】
画像処理部５からは、被写体Ａの重心位置を示す位置データＨが出力されてくるので、モータ６ａは、例えば、画枠Ｆのほぼ中心位置（あるいは３分割法に基づく縦横線の交点位置等）のような所定位置に、被写体Ａの重心位置が配置されるように、ＣＣＤ４を並進移動させるようになっている。
【００３５】
また、スピーカ１１は、制御部１２により第２の撮影モードに切り替えられることによって作動可能に設定され、レリーズボタン９からのレリーズ指令Ｓに応じて、制御部１２から送られてくる擬似撮影音信号Ｖに応じて擬似撮影音を出力するようになっている。
【００３６】
このように構成された本実施形態に係るカメラ１の作用について以下に説明する。
本実施形態に係るカメラ１を用いて被写体Ａの撮影を行う場合には、撮影者がカメラ１を持つ持ち方に応じて、制御部１２により第１の撮影モードであるか第２の撮影モードであるかが判断され、制御部１２からモード切替信号Ｍが画像処理部５および液晶ディスプレイ７に対して出力され、撮影モードが切り替えられる。
【００３７】
撮影者が、図２に示されるように、両手で、あるいは右手のみでカメラ本体２を把持すると、抵抗値検出器１５により検出される電極１３，１４間の抵抗値は所定のしきい値より大きくなるので、制御部１２により第１の撮影モードに切り替えられる。第１の撮影モードに切り替えられると、カメラ本体２の背面に設けられた液晶ディスプレイ７が起動され、撮影者は、該液晶ディスプレイ７やファインダ８を見ながら撮影を行うことができる。
【００３８】
レンズユニット３およびＣＣＤ４を介して連続的に取得された画像データＧが、画像処理部５に送り続けられ、画像処理部５は、送られてきた画像データＧをそのまま液晶ディスプレイ７に送る。これにより、液晶ディスプレイ７にはレンズユニット３およびＣＣＤ４を介して得られた画像データＧが表示されている。
【００３９】
したがって、被写体Ａおよび背景を、ＣＣＤ４の撮影範囲Ｑあるいは液晶ディスプレイ７の枠によって決定された画枠Ｆとともに表示することにより、画枠Ｆに対して被写体Ａの位置を適当に配置した構図を確認しながら撮影を行うことができる。同様に、ファインダ８によっても、該ファインダ８の開口部によって決定される画枠Ｆとの関係で被写体Ａの位置を確認することができる。
その結果、撮影者は第１の撮影モードで撮影することにより、思い通りの構図に設定された画像を取得することができる。
【００４０】
その反面、第１の撮影モードで撮影する場合には、撮影者の視線が液晶ディスプレイ７やファインダ８に向かうため、被写体Ａ側から見て、撮影者と視線が合わず、あるいは、撮影者の顔がカメラ本体２によって遮られて見えない状態となる。その結果、被写体Ａが人間や動物である場合に、撮影されていることを意識させてしまい、自然な表情や動作を撮影することができない場合がある。
【００４１】
これに対して、撮影者が、図３に示されるように、右手でカメラ本体２を把持すると、抵抗値検出器により検出される電極間の抵抗値は所定のしきい値より小さくなるので、制御部１２により第２の撮影モードに切り替えられる。第１の撮影モードに切り替えられると、カメラ本体２の背面に設けられた液晶ディスプレイ７の作動が停止され、撮影者は、カメラ本体２の背面に設けられた液晶ディスプレイ７やファインダ８を機能させることなく撮影を行うようになる。
【００４２】
この場合に、第２の撮影モードに切り替えられると、画像処理部５が、ＣＣＤ４から出力された画像データＧを処理することにより被写体Ａを検出する。そして、画像処理部５は、検出した被写体Ａの重心位置を算出し、その位置データＨを画枠調整部６に出力する。画枠調整部６は、入力された位置データＨに基づいて、モータ６ａを作動させ、送りネジ６ｂおよびスライダ６ｃを介して、被写体Ａの重心位置が画枠Ｆのほぼ中心位置に配置されるようにＣＣＤ４を並進移動させる。
【００４３】
例えば、図４（ａ）に示されるように、被写体Ａに対して大まかにレンズユニット３を向けた状態にカメラ１を合わせると、図４（ｂ）に示されるように、被写体Ａが画枠Ｆに対して中心からずれた位置に配置されることになる。この場合には、図５（ａ）に示されるように、モータ６ａの作動により、送りネジ６ｂおよびスライダ６ｃを介して、ＣＣＤ４を並進移動させることにより、図５（ｂ）に示されるように、被写体Ａを画枠Ｆ内の適正な位置に配置した画像Ｇを取得することができる。
【００４４】
すなわち、第２の撮影モードによる撮影では、液晶ディスプレイ７やファインダ８を機能させないので、撮影者が被写体Ａに対する画枠Ｆの位置を確認しながら撮影することができない。しかしながら、本実施形態に係るカメラ１によれば、カメラ１を構えたときに画枠Ｆ内に捕らえられた被写体Ａを画像処理部５における画像処理により検出し、検出された被写体Ａの重心位置が画枠Ｆ内の適正な位置に配置されるようにＣＣＤ４が並進移動させられる。したがって、撮影者は、カメラ１のレンズユニット３を被写体Ａ側に大まかに向けるだけで、画枠Ｆに対する被写体Ａの位置を確認しなくても、ほぼ適正な位置に被写体Ａを配置した画像Ｇを取得することが可能となる。
【００４５】
そして、本実施形態に係るカメラ１によれば、第２の撮影モードにおいて、画枠Ｆに対する被写体Ａの位置を確認しなくても、ほぼ適正な位置に被写体Ａを配置した画像Ｇを取得でき、撮影者が視線を被写体Ａから外すことなく、かつ、被写体Ａ側と撮影者とが視線を合わせた状態で撮影を行うことができる。その結果、被写体Ａが人物や動物である場合には、被写体Ａに撮影を意識させることなく、自然な表情や動作を撮影できるという利点がある。
【００４６】
また、第２の撮影モードにおいては、画枠Ｆに対する被写体Ａの位置を確認しない撮影を可能とするので、被写体Ａの種類にかかわらず、地上すれすれから見上げるアングル、高く延ばした手から見下ろすアングル、あるいは、狭いところに手を差し入れて撮影するアングル等、斬新なアングルの画像データＧを取得できる。そして、その場合に、被写体Ａを画枠Ｆ内の適正な位置に配置することができる。
【００４７】
このように、本実施形態に係るカメラ１によれば、撮影者によるカメラの握り方に応じて、撮影状態を自動的に検出し、第１の撮影モードと第２の撮影モードとを切り替えるので、撮影状態に合わせた適正な画像を取得することができるという利点がある。
【００４８】
さらに、本実施形態に係るカメラ１によれば、制御部１２により第２の撮影モードに切り替えられた状態で、レリーズボタン９が押下されることによりレリーズ指令Ｓが出力されると、スピーカ１１から擬似撮影音が出力される。したがって、撮影者により撮影されていることを被写体Ａに意識させない第２の撮影モードにおいても、撮影が行われたことが周囲あるいは被写体Ａに報知される。したがって、撮影されていることを被写体Ａに意識させない第２の撮影モードを悪用した盗撮等の行為を未然に防止することができる。
【００４９】
また、本実施形態に係るカメラ１によれば、第２の撮影モードにおいて、制御部１２が液晶ディスプレイ７の作動を停止するので、右手の掌で覆われて作動していても機能しない液晶ディスプレイ７に通電する電力を節約し、バッテリの消耗を抑制することができるという利点がある。
【００５０】
なお、本実施形態に係るカメラ１においては、画枠調整部６として、ＣＣＤ４を並進移動させるモータ６ａ、送りネジ６ｂおよびスライダ６ｃを備えるものを例示したが、これに限定されるものではなく、並進駆動機構は任意に構成することができる。また、ＣＣＤ４を並進移動させるのに代えて、図６および図７に示されるように、ＣＣＤ４に対してレンズユニット３を並進移動させることとしてもよい。
【００５１】
例えば、図６（ａ），（ｂ）に示されるように、画枠Ｆ内の被写体Ａ位置が検出されたときには、図７（ａ）に示されるように、ＣＣＤ４の場合とは逆方向にレンズユニット３を並進移動させる。これにより、ＣＣＤ４による撮影範囲Ｑを変化させて、図７（ｂ）に示されるように、画枠Ｆ内の適正な位置に被写体Ａを配置した画像Ｇを取得することができる。
【００５２】
また、図８および図９に示されるように、レンズユニット３の撮影範囲Ｐに比較して、ＣＣＤ４が大きくなるように、サイズの大きなＣＣＤ４を採用し、ＣＣＤ４に対してレンズユニット３を相対的に並進移動させることで、被写体Ａの像の結像範囲を移動させて、被写体Ａを画枠Ｆ内の適正な位置に配置することにしてもよい。なお、レンズユニット３に対してＣＣＤ４を並進移動させることにしてもよい。
【００５３】
さらに、図１０に示されるように、画枠調整部を画像処理部５により実現することにしてもよい。すなわち、図１０（ａ）に示されるように、ＣＣＤ４の撮影範囲Ｑとレンズユニット３の撮影範囲Ｐとが一致するＣＣＤ４およびレンズユニット３を選択し、図１０（ｂ）に示されるように、ＣＣＤ４によって取得された画像データＧを画像処理部５に入力する。画像処理部５においては、画像処理により、被写体Ａを認識してその重心位置が算出されるとともに、該被写体Ａの周囲に適正な大きさの画枠Ｆを有する部分画像データＧ１が切り出されるようになっている。
【００５４】
これにより、撮影者は、レンズユニット３を大まかに被写体Ａに向けるだけで、画枠Ｆ内の適正な位置に被写体Ａが配置された画像Ｇ１を取得することができる。
また、画像処理部５においては、検出した被写体Ａのサイズを算出し、そのサイズに合わせて切り出す画枠Ｆの大きさを選択することにしてもよい。これにより、画像データＧ内の被写体Ａの大きさが変化してもそれに応じて画枠Ｆの大きさを変化させて、適正な画枠Ｆ内に被写体を含む部分画像データＧ１，Ｇ２，Ｇ３を取得することができるという利点がある。
【００５５】
また、本実施形態においては、ＣＣＤ４により取得された画像データＧを顔認識処理することにより、被写体Ａを検出することとしたが、これに代えて、コントラスト値により被写体Ａを検出することとしてもよい。この場合、カメラ１にはオートフォーカス機能が備えられていることが必要であり、オートフォーカス機能により、ピントが合った領域におけるコントラスト値が高いことを利用して、被写体Ａを検出することができる。
【００５６】
また、これに代えて、動体認識処理により被写体Ａを検出することとしてもよい。動体認識処理は、短い時間間隔をあけて取得された２つの画像データＧを比較し、画素値が変化している領域を動体として認識することにより、認識された動体を被写体Ａとして検出することができる。
【００５７】
また、本実施形態においては、ＣＣＤ４により取得された画像データＧを画像処理することにより被写体Ａを認識する場合について説明したが、これに代えて、図１１に示されるように、オートフォーカス機能に用いられる位相差検出方式により、被写体Ａを検出することとしてもよい。
【００５８】
すなわち、図１１（ａ）に示されるように、レンズユニット３により集光した被写体Ａからの光を分岐するハーフミラー１６と、該ハーフミラー１６により分岐された光を結像させる集光レンズ１７と、該集光レンズ１７により集光された光を検出する測距用センサアレイ１８とを備えている。また、画像処理部５′は、該測距用センサアレイ１８に結像された像の位相差を検出する位相差検出部として機能する。そして、画像処理部５′は、検出された像の位相差に基づいて、画像データＧ内の合焦した領域Ｔを特定するようになっている。
【００５９】
図中符号１９は、ＣＣＤ４を光軸方向に移動させる合焦機構である。例えば、合焦機構１９の作動によりＣＣＤ４を光軸方向に移動させる間に、最初に合焦した領域Ｔを被写体Ａ位置として認識することとすればよい。
【００６０】
このように構成することで、例えば、図１１（ｂ）に示されるように、画像データＧ上の複数の測距用領域Ｔの内、被写体Ａの配置されている測距用領域Ｔ（斜線部）を容易に検出することができ、これにより被写体Ａを検出することができる。
なお、カメラ１から同等の距離に２以上の被写体Ａが存在する場合には、複数の測距用領域Ｔが検出されることとなるが、この場合には、検出された測距用領域Ｔ間の中点を被写体Ａ位置として特定し、画枠調整部６を作動させることにより、全ての被写体Ａを画枠Ｆ内の適正な位置に配置した画像Ｇを取得することができる。
【００６１】
また、本実施形態においては、カメラ本体２の幅方向にＣＣＤ４またはレンズユニット３を移動させる場合について説明したが、これに代えて、図１２に示されるように、互いに直交する２つの送りネジ６ｂを別個のモータ６ａにより駆動する画枠調整部６を採用することにしてもよい。これにより、カメラ本体２の幅方向および高さ方向に、２次元的にＣＣＤ４を位置調整することができる。図中、符号２０はスライダ、符号２１はスライダ６ｃ，２０のスムーズな移動を支持するガイドシャフトである。
また、同様の機構により、ＣＣＤ４に代えて、レンズユニット３を２次元的に移動させることとしてもよい。
【００６２】
また、本実施形態においては、撮影状態検出部１０として、２つの電極１３，１４と、該電極１３，１４間の抵抗値を検出する抵抗値検出器１５とを備えるものを例示した。これに代えて、図１３および図１４に示されるように、カメラ本体２に底面（レリーズボタン９が設けられている側面とは反対側の側面）の中央位置に接触センサ２２を設け、制御部１２が、接触センサ２２からの出力に応じて撮影モードを判定することとしてもよい。
【００６３】
すなわち、図１３に示されるように、第１の撮影モードにおいては、両手の親指は、カメラ本体２の底面の両端近傍に配されるため、接触センサ２２に接触しない。その一方で、図１４に示されるように、第２の撮影モードにおいては、右手の薬指あるいは中指あるいは小指がカメラ本体２の底面の中央位置に配置されるため、接触センサ２２に接触する。
したがって、このようにすることによっても、撮影モードを容易に検出することができる。
【００６４】
また、本実施形態においては、第２の撮影モードが検出された状態でレリーズボタン９が押されると、スピーカ１１から擬似撮影音を出力することとしたが、これに代えて、他の任意の音声を発生することにしてもよい。また、スピーカ１１に代えてストロボを起動し、フラッシュを発光させることにしてもよい。
【図面の簡単な説明】
【００６５】
【図１】本発明の一実施形態に係るカメラを示す模式的な全体構成図である。
【図２】図１のカメラを用いた第１の撮影モードによる撮影状態を示す図である。
【図３】図１のカメラを用いた第２の撮影モードによる撮影状態を示す図である。
【図４】図１のカメラを第２の撮影モードにおいて被写体に向けた状態を示す図であり、（ａ）被写体とカメラとの位置関係および（ｂ）画像例を示す図である。
【図５】図４の状態から、画枠調整部が作動して、画枠に対して被写体の位置が調整された状態を示す図であり、（ａ）被写体とカメラとの位置関係および（ｂ）画像例を示す図である。
【図６】図１のカメラの第１の変形例であって、第２の撮影モードにおいて被写体に向けた状態を示す図であり、（ａ）被写体とカメラとの位置関係および（ｂ）画像例を示す図である。
【図７】図６の状態から、画枠調整部が作動して、画枠に対して被写体の位置が調整された状態を示す図であり、（ａ）被写体とカメラとの位置関係および（ｂ）画像例を示す図である。
【図８】図１のカメラの第２の変形例であって、第２の撮影モードにおいて被写体に向けた状態を示す図であり、（ａ）被写体とカメラとの位置関係および（ｂ）画像例を示す図である。
【図９】図８の状態から、画枠調整部が作動して、画枠に対して被写体の位置が調整された状態を示す図であり、（ａ）被写体とカメラとの位置関係および（ｂ）画像例を示す図である。
【図１０】図１のカメラの第３の変形例であって、第２の撮影モードにおいて被写体に向けた状態を示す図であり、（ａ）被写体とカメラとの位置関係および（ｂ）画像例を示す図である。
【図１１】図１のカメラの第４の変形例であって、第２の撮影モードにおいて被写体に向けた状態を示す図であり、（ａ）被写体とカメラとの位置関係および（ｂ）画像例を示す図である。
【図１２】図１のカメラの画枠調整部の変形例を示す斜視図である。
【図１３】図１のカメラの第５の変形例であって、撮影状態を接触センサにより検出する場合の第１の撮影モードを示す図である。
【図１４】図１３のカメラにおける第２の撮影モードを示す図である。
【符号の説明】
【００６６】
１  カメラ
３  レンズユニット（撮影光学系）
４  ＣＣＤ（撮像部）
７  液晶ディスプレイ（被写体位置提示部）
８  ファインダ（被写体位置提示部）
９  レリーズボタン
１０  撮影状態検出部（撮影モード検出部）
１１  スピーカ（報知部）
１２  制御部（モード切替部）
【図１】
2008083076.tif 000003
【図２】
2008083076.tif 000004
【図３】
2008083076.tif 000005
【図４】
2008083076.tif 000006
【図５】
2008083076.tif 000007
【図６】
2008083076.tif 000008
【図７】
2008083076.tif 000009
【図８】
2008083076.tif 000010
【図９】
2008083076.tif 000011
【図１０】
2008083076.tif 000012
【図１１】
2008083076.tif 000013
【図１２】
2008083076.tif 000014
【図１３】
2008083076.tif 000015
【図１４】
2008083076.tif 000016